(57)【要約】【課題】アンテナ特性を良好に保つ電子機器を提供することを目的とする。【解決手段】表示部ケース５の底壁５ｇ内面にはアンテナ基板２０が取付手段により固定されている。底壁５ｇには表示パネル７の背面７ｂがグランド部２２を覆うように実装される。アンテナ基板２０はスリット１３ｃを介してグランド部２２が突出される。上壁５ｆにはスリット１３ｆと底壁５ｇとの間に底壁よりも高くなっているリブ２７が形成されている。アンテナ基板２０はスリット１３ｃに挿入された際グランド部２２の上部がリブ２７上に載置される状態となる。アンテナ基板２０の背面２５のグランド部２２に対応する一端が上述した固定手段により固定されることで、グランド部２２はカバー３０には当接せず、リブ２７の高さ分後壁３との間に間隙Ｌを存している。表示部ケース５上には表示マスク６が接続される。【選択図】  図８
2004280331.tif 000002
【特許請求の範囲】
【請求項１】
本体と、
上記本体に回動可能に接続するとともに、底壁と開口部が形成された上壁とを有する表示部ケースと、
上端部が上記上壁と対向するとともに、背面が上記底壁と対向するように実装される表示パネルと、
上記表示部ケースの上記上壁に連なって取り付けられる非導電体のカバーと、表示パネルの表示面を露出する表示マスクと、
上記開口部を介して上記表示部ケースと上記カバーとに亘って実装され、上記表示パネルの背面と上記底壁との間に位置するグランド部と、上記カバーと上記上壁と上記マスクとで囲まれる領域に位置するアンテナ部とを有するアンテナ基板と、
を具備することを特徴とする電子機器。
【請求項２】
上記表示部ケースは金属材料にて構成されていることを特徴とする請求項１記載の電子機器。
【請求項３】
上記表示部ケースの上壁は上記開口部と隣接して上記底壁より突出するリブを有し、上記アンテナ基板は上記リブによりアンテナ部が上記カバーと上記表示マスクから離間していることを特徴とする請求項２記載の電子機器。
【請求項４】
上記アンテナ基板に接続されるケーブルを有し、このケーブルは上記開口部を介して上記表示部ケース内と上記カバーと上記表示マスクとで囲まれる領域との間に配設されることを特徴とする請求項３記載の電子機器。
【請求項５】
本体と、
上記本体に回動可能に接続される表示部筐体と、
上記表示部筐体に内蔵される表示パネルと、
上記表示部筐体に内蔵されるアンテナ基板と、を具備し、
上記表示部筐体は、
上記表示パネルが実装されるとともに、第１の上壁と、第２の上壁と、上記第１および第２の上壁との間に連結壁を介して設けられるとともに開口部を有する第３の上壁とで規定される切欠きを有する表示部ケースと、
上記切欠きに取り付けられる非導電体のカバーと、
上記表示部ケースおよび上記カバーに亘って取り付けられ、上記表示パネルの表示面を露出する表示マスクと、を具備し、
上記アンテナ基板は、
上記開口部を介して上記表示部ケースと上記表示パネルとで規定される第１の領域から上記カバーと上記表示マスクとで規定される第２の領域に亘って実装されるとともに、上記第２の領域に位置するアンテナ部を有することを特徴とする電子機器。
【発明の詳細な説明】
【０００１】
【発明の属する技術分野】
本発明は、アンテナ基板を有する電子機器に係り、特にアンテナ基板の実装構造に関する。
【０００２】
【従来の技術】
近年、ノート型コンピュータ等の電子機器は薄型化される傾向が著しい。薄型化するために各部品を小型化する必要もあるが、薄型化の為に多く採用されているのがマグネシウム等の金属材料にて筐体を形成する方法である。こうすることで筐体の壁厚を薄く形成し強度を保つことが可能となっている。
【０００３】
ところで近年ではノート型コンピュータにも無線ＬＡＮ等のアンテナを内蔵し無線通信を行うことができるようになっている。通常良好に無線通信を行うために本体に回動可能に接続されている表示部筐体の内部上方に内蔵されている（特許文献１，２，３参照）。
【０００４】
また、金属製のケース内に内蔵した場合、アンテナ特性が劣化してしまうためにアンテナの放射方向が樹脂等の非導体のカバーを取り付けることで良好なアンテナ特性を得ているものもある。（特許文献４，５参照）
【０００５】
【特許文献１】
特開２００２−７３２１０号公報（カラム６、図３，４）
【０００６】
【特許文献２】
特開２０００−１７２３７６号公報（図１）
【０００７】
【特許文献３】
特開２００３−３７４３１号公報（カラム７乃至９）
【０００８】
【特許文献４】
特開２００２−１９６８３７号公報（図１，４，５）
【０００９】
【特許文献５】
特開２００２−２３２２２０号公報（カラム５，６、図１乃至３）
【００１０】
【発明が解決しようとする課題】
特許文献１，２，３に開示されている同一材料で形成されている表示部筐体内に内蔵されている。そのため、表示部ケースが金属製であった場合は、アンテナ基板が完全に導体のケースに囲まれることとなり良好なアンテナの放射特性を得ることは困難である。
【００１１】
また特許文献４，５には金属製の表示部ケースに内蔵されたアンテナ基板に対向する部分を樹脂等の非胴体のカバーで覆う技術が開示されている。このため、アンテナの放射特性は劣化が防がれている。しかしながら、金属性ケースの一部を樹脂製のカバーとしているため、表示部筐体の全体的な剛性が不足してしまう。
【００１２】
本発明は上述した事情にもとづいてなされたもので、表示部筐体の強度を保ちつつ、アンテナ特性の良好な電子機器を提供することを目的とする。
【００１３】
【課題を解決するための手段】
上記目的を達成するために、請求項１に係る電子機器は、
【００１４】
本体と、
【００１５】
上記本体に回動可能に接続するとともに、底壁と開口部が形成された上壁とを有する表示部ケースと、
【００１６】
上端部が上記上壁と対向するとともに、背面が上記底壁と対向するように実装される表示パネルと、
【００１７】
上記表示部ケースの上記上壁に連なって取り付けられる非導電体のカバーと、表示パネルの表示面を露出する表示マスクと、
【００１８】
上記開口部を介して上記表示部ケースと上記カバーとに亘って実装され、上記表示パネルの背面と上記底壁との間に位置するグランド部と、上記カバーと上記上壁と上記マスクとで囲まれる領域に位置するアンテナ部とを有するアンテナ基板と、
【００１９】
を具備することを特徴とする。
【００２０】
請求項５に係る電子機器は、
【００２１】
本体と、
【００２２】
上記本体に回動可能に接続される表示部筐体と、
【００２３】
上記表示部筐体に内蔵される表示パネルと、
【００２４】
上記表示部筐体に内蔵されるアンテナ基板と、を具備し、
【００２５】
上記表示部筐体は、
【００２６】
上記表示パネルが実装されるとともに、第１の上壁と、第２の上壁と、上記第１および第２の上壁との間に連結壁を介して設けられるとともに開口部を有する第３の上壁とで規定される切欠きを有する表示部ケースと、
【００２７】
上記切欠きに取り付けられる非導電体のカバーと、
【００２８】
上記表示部ケースおよび上記カバーに亘って取り付けられ、上記表示パネルの表示面を露出する表示マスクと、を具備し、
【００２９】
上記アンテナ基板は、
【００３０】
上記開口部を介して上記表示部ケースと上記表示パネルとで規定される第１の領域から上記カバーと上記表示マスクとで規定される第２の領域に亘って実装されるとともに、上記第２の領域に位置するアンテナ部を有することを特徴とする。
このような構成により、表示部筐体の強度を保ちつつ、アンテナ特性の良好な電子機器を提供することができる。
【００３１】
【発明の実施の形態】
以下本発明に係る実施の形態を、図面を参照して説明する。
【００３２】
図１は、電子機器の斜視図である。図１に示すようにノート型コンピュータ等の電子機器１は本体筐体２と、この本体筐体２にヒンジ部３を介して回動可能に接続される表示部筐体４とを有している。本体筐体２は上面にキーボード９を有している。表示部筐体４はキーボード９を露出する開位置とキーボード９を覆う閉位置との間で回動可能である。表示部筐体４は内部にデータ表示を行うための表示パネル７が内蔵されている。表示部筐体４は表示パネル７の背面を覆う表示部ケース５とこの表示部ケース５に取り付けられる表示マスク６とを有している。表示マスク６は、表示パネル７の表示面７ａを露出する開口部６ａを有している。表示部筐体４の上部には表示部筐体４を閉位置にロック／ロック解除するための後述するラッチ機構が内蔵されている。ラッチ機構は表示部筐体４の上部には操作レバー８が設けられ、表示マスク６からは操作レバーに連動して滑動可能ラッチ片８ａおよび８ｂが突出している。本体筐体２の上面には表示部筐体４が閉位置にあるときラッチ片８ａ、８ｂが係止される係合部２ａ，２ｂが設けられる。
【００３３】
図２は、表示部の表示マスクを外した状態の表示部の平面図である。図３は、表示ケースの上部斜視図である。表示パネル７はほぼ四角形状の外形を有しており、データ表示する表示面７ａとは反対側に位置する裏面７ｂと、上端７ｃと、この上端７ｃとは反対側に位置する下部７ｄと、これら上端７ｃおよび下部７ｄとを結び、互いに対向する側部７ｅ，７ｆとを有している。
【００３４】
表示ケース５は表示パネル７の一対の側壁７ｅ，７ｆとそれぞれ対向する側一対の側壁５ａ、５ｂと、表示パネル７の下部７ｄと対向する下壁５ｃを有する。さらに表示ケース５は表示パネル７の上端７ｃと対向して上壁を有する。これら側壁５ａ，５ｂおよび下壁５ｃとは底壁５ｇの縁部に一体成形される。上壁は側壁５ａ，５ｂと協同してそれぞれ表示ケース５の上部両端を形成する第１の上壁５ｄと第２の上壁５ｅとを有している。第１及び第２の上壁５ｄ，５ｅとの間には底壁５ｇ方向に凹む切欠き４０が形成される。切欠き４０には表示パネル７の上端７ｃと対向する第３の上壁５ｆと、この第３の上壁５ｆの両端より第１及び第２の上壁５ｄ，５ｅに伸びる連結壁１６ａ，１６ｂとがそれぞれ一体成形される。なお、表示部ケース５はマグネシウム、アルミニウム，チタニウム等の金属材料にて形成されている。
【００３５】
表示部ケース５の下壁５ｃの両端部には本体２に接続される一対のヒンジ装置１０ａ，１０ｂが内蔵されており、下壁５ｃからは一対のヒンジ装置１０ａ、１０ｂを覆うように一対の脚部１７ａ，１７ｂが一体成形される。ヒンジ装置１０ａ，１０ｂはそれぞれ脚部１７ａ，１７ｂより延出され本体２内部に固定されることで表示部筐体４が本体２にか移動可能に接続されることになる。
【００３６】
側壁５ａと表示パネル７の側部７ｅとの間には表示パネル７を駆動する駆動回路４１が実装される。表示パネル７は側部７ｅ，７ｆに設けられた固定部７ｈ、７ｉ、７ｊ、７ｋを介して底壁５ｇに固定される。
【００３７】
表示部ケース５の切欠き４０にはカバー３０が取り付けられる。カバー３０には上述したラッチ機構１４が実装されている。ラッチ機構１４は細長い開いた上に形成された本体１４ａを有しており、その両端部１４ｂ、１４ｃにはそれぞれラッチ片８ａ，８ｂがそれぞれ一体成形されている。操作レバー８は本体１４に取り付けられ、カバー３０より外方に露出されている。本体１４ａは常にラッチ片８ａ，８ｂが本体２に設けられている係合部２ａ，２ｂに係合する方向に弾性部材１４ｄにより付勢されている。
【００３８】
脚部１７ａ，１７ｂからは表示パネル７と本体２とを電気的に接続するケーブル１９と後述するアンテナ基板と、本体２に内蔵されている高周波モジュール（図示せず）とを接続する同軸ケーブル１８とが引き出されている。
【００３９】
図４は、表示ケースの上部平面図である。図３及び図４に示すように、表示部ケースの第３の上壁５ｆは底壁５ｇよりリブ状に突出しており、開口部である第１，第２，第３のスリット１３ａ，１３ｂ，１３ｃを有している。第３の上壁５ｆは第１及び第２の上壁５ｃ，５ｄの高さより若干低く形成されている。また、第３の上壁５ｆには第１，第２，第３のスリット間に表示マスク６をねじ固定するための複数のボス１２が一体成形されている。さらに、底壁５ｇには表示パネル７の固定部７ｊ，７ｋが取り付けられるボス５ｈ，５ｉが一体成形される。
【００４０】
図５は、アンテナ基板の平面図である。アンテナ基板２０は表示部４に内蔵されている。このアンテナ基板２０は本体２１を有している。本体２１は平板状形成されており、グランド部２２と、このグランド部２２に接続されたアンテナ部２３とを有している。アンテナ部２３はグランド部２２と接続される第１の接続部２３ａとこの接続部２３ａから伸びる延長部２３ｂと、第１の接続部２３と延長部２３ｂとの間には同軸ケーブル１８の一端１８ａに接続される第２の接続部２３ｃとを有している。第２の接続部２３ｃにはケーブル１８の図示しない内導体に半田等の手段により接続される第１の接続パターン２４ａが形成される。またグランド部２２には同軸ケーブル１８の図示しない軸線１８ａの外導体に半田等の接続手段で接続される第２の接続パターン２４ｂが形成される。本体２１は表面をラミネート等の絶縁性フィルムで覆われており、グランド部２２、アンテナ部２３も絶縁性フィルムにより覆われている。第１及び第２の接続部２４ａ，２４ｂは同軸ケーブル１８との接続するためにフィルムには覆われておらず、露出された状態となっている。このようなアンテナ基板２０は無線ＬＡＮ等の無線通信に使用される。
【００４１】
図６は、カバーを外した状態の表示ケースへアンテナ基板を取り付けた状態の平面図である。図６に示すように、アンテナ基板２０は表示部ケース５の第３の上壁５ｆに形成された第１及び第２のスリット１３ａ，１３ｃの２箇所に取り付けられる。この２つのアンテナ基板によりダイバーシティアンテナとして機能する。なお、アンテナ部２３の長さとグランド部２２の幅とは誘電率や放射特性等を考慮し適宜設定すれば良い。また、第２のスリット１２ｂは本実施の形態では使用されないが、無線ＬＡＮ通信を行うためのダイバーシティーアンテナを構成する２つのアンテナ基板に加えて、さらに他の通信規格に準拠したアンテナ基板を追加する際に使用すればよい。
【００４２】
図６はアンテナ基板２０を第３のスリット１３ｃに取り付けた状態を示している。第１のスリット１３ａへのアンテナ基板の取り付けも同様であるため説明を省略する。スリット１３ｃはアンテナ基板２０が挿入可能大きさに形成されている。アンテナ基板２０はグランド部２２が表示部ケース５の底壁５ｇと対向するように配置されている。すなわちアンテナ部２３は第３の上壁５ｆよりも情報に突出するように配置されている。
【００４３】
図７は、図２の状態の表示部の上部拡大図である。アンテナ基板２０のグランド部２２には表示パネル７が重なるように実装され、表示パネル７の上端７ｃと第３の上壁５ｆとの間には間隙が形成される。
【００４４】
切欠き４０には樹脂材料で形成された非導体であるカバー３０が取り付けられる。カバー３０は図示しないラッチ構造等により表示部ケース５に取り付けられる。また、カバー３０は表示部ケース５の底壁５ｇとほぼ平行に形成される後壁３１と、この後壁３１に連続して形成される上壁３２とを有している。カバー３０を切欠き４０に取り付けた際、後壁３１と表示パネル５の底壁５ｇとは略面一状態となる。さらに表示パネルの第１及び第２の上壁５ｄ，５ｅとカバー３０の上壁３２とも略面一状態となる。
【００４５】
カバー３０の上壁３２からは、ほぼ後壁３１と平行に突出する複数の受け部３５が一体成形されている。受け部３５は表示マスク６を表示部ケース５に取り付けた際、表示マスク６の縁部に係合する。また、上壁３２からは、カバー３０を切欠き４０に取り付けた際ボス１２上に突出する固定部３３が一体成形されている。固定部３３にはねじ穴３４が設けられており、表示マスク６を介して表示部ケース５およびカバー３０とがねじ止めされる。
【００４６】
この状態に於いてアンテナ基板２０のアンテナ部２３は非導体のカバー３０により背面が覆われている状態であり、アンテナ部２３の前面は開放されている状態である。グランド部２２の背面は導体である表示部ケース５により覆われ、グランド部２２の前面は導体である表示パネル７により覆われている状態となっている。
【００４７】
図８は、図１の断面線Ｘ−Ｘ’における断面図である。図７に示すように表示部ケース５の底壁５ｇ内面にはアンテナ基板２０が両面テープや接着材等の取付手段４２により固定されている。なお、図８において同軸ケーブル１８と第１，第２の接続部２４ａ，２４ｂとの接続状態は省略している。底壁５ｇには表示パネル７の背面７ｂがグランド部２２を覆うように実装される。アンテナ基板２０はスリット１３ｃを介してグランド部２２が突出される。カバー３０は後壁３１に形成されたラッチ片３１ａが表示部ケース５に形成された係止部２６ａに係止されることで仮止めされている。カバー３０の上壁３２からはアンテナ基板２０のアンテナ部２３上に突出する受け部３５が設けられている。
【００４８】
第３の上壁５ｆにはスリット１３ｆと底壁５ｇとの間に底壁よりも高くなっているリブ２７が形成されている。アンテナ基板２０はスリット１３ｃに挿入された際グランド部２２の上部がリブ２７上に載置される状態となる。アンテナ基板２０の背面２５のグランド部２２に対応する一端が上述した固定手段４２により固定されることで、グランド部２２はカバー３０には当接せず、リブ２７の高さ分後壁３との間に間隙Ｌを存している。このようにグランド部２２を回りの筐体より離間させていることでアンテナ性能を良好にしている。
【００４９】
表示部ケース５上には表示マスク６が接続される。表示マスク６は合成樹脂材料に形成されており非導体である。表示マスク６には端部６ｂからは表示部ケース方向に延びる上壁６ｃが形成されている。上壁６ｃの先端６ｄは表示部ケース３０に形成されている受け部３５に当接され、同時に上壁６ｃに形成されている係止部６ｅにはカバー３０に形成されているラッチ３２ａが係止される。
【００５０】
上述した構成により、表示パネル６は背面、側面を金属製の表示部ケースにて覆われているため、表示部筐体としての強度を充分保つことができる。
【００５１】
さらに、アンテナ基板３０の前方、後方，情報は非導電体の筐体に囲まれていりことになる。つまり導電体の表示部ケース５よりもアンテナ部２３が突出され、突出されたアンテナ部２３を非導電体の表示マスク６，カバー３０により囲まれ、表示パネル７の上方にグランド部２２が位置することとなり、アンテナ特性を良好に保つことできるという効果を有している。
【００５２】
したがって、表示部筐体の剛性を保持した状態で、良好なアンテナ特性を得ることができる。
【００５３】
本発明ではその主旨を逸脱しない範囲であれば、上記の実施形態に限定されるものではない。そして、携帯電話、ＰＤＡ、デジタルカメラ等の多くの電子機器に広く適用できるものである。
【００５４】
【発明の効果】
以上詳述した発明によれば、表示部筐体の強度を保ちつつ、アンテナ特性の良好な電子機器を提供することができる。
【図面の簡単な説明】
【図１】電子機器の斜視図。
【図２】表示部の表示マスクを外した状態の表示部の平面図。
【図３】表示ケースの上部斜視図。
【図４】表示ケースの上部平面図。
【図５】アンテナ基板の平面図。
【図６】カバーを外した状態の表示ケースへアンテナ基板を取り付けた状態の平面図。
【図７】図２の状態の表示部上部拡大図。
【図８】図１の断面線Ｘ−Ｘ’における断面図。
【符号の説明】
１・・・電子機器、２・・・本体筐体、３・・・ヒンジ部、４・・・表示部筐体、５・・・表示部ケース、５ａ、５ｂ・・・側壁、５ｃ・・・壁、５ｄ，５ｅ、５ｆ・・・第１，第２，第３の上壁、５ｇ・・・底壁、６・・・表示マスク、７・・・表示パネル、９・・・キーボード、１０ａ，１０ｂ・・・ヒンジ装置、１３ａ，１３ｂ，１３ｃ・・・第１，第２，第３のスリット、１６ａ，１６ｂ・・・連結壁、１８・・・同軸ケーブル、２０・・・アンテナ基板、２２・・・グランド部、２３・・・アンテナ部、２３ａ・・・第１の接続部、２３ｂ・・・延長部、２３ｃ・・・第２の接続部、２４ａ・・・第１の接続パターン、２４ｂ・・・第２の接続パターン、２７・・・リブ、３０・・・カバー、３１・・・後壁、３２・・・上壁、４０・・・切欠き、
【図１】
2004280331.tif 000003
【図２】
2004280331.tif 000004
【図３】
2004280331.tif 000005
【図４】
2004280331.tif 000006
【図５】
2004280331.tif 000007
【図６】
2004280331.tif 000008
【図７】
2004280331.tif 000009
【図８】
2004280331.tif 000010